(57)【要約】【課題】光ディスク装置において、紛体潤滑剤を必要とすることなく、トレイの引出し終端の位置におけるトレイ及びシャーシのそれぞれに設けられたストッパの当接音を低減する。【解決手段】トレイ２に設けられている第２のストッパ２５と、ポリアセタール樹脂から成り、メインシャーシ８に片持支持されるカムスライダ７の先端部７３とがトレイ２の引出し終端の直前位置で当接し、先端部７３が弾性変形することによりトレイ２の移動速度が減少される。これにより、トレイ２に設けられている第１のストッパ２４とメインシャーシ８に設けられている第３のストッパ８３との当接による耳障りな打撃音を抑制することができ、装置の静粛性を高めることができる。【選択図】図５
2005267780.tif 000002
【特許請求の範囲】
【請求項１】
装置本体に対して引出し可能に設けられ、駆動力を受けるための第１のラックを有し、光ディスクが載置されるトレイと、
前記第１のラックと噛合って前記トレイに駆動力を伝達する駆動ギアと、
光ディスクにデータを書き込み／読み出しする光ピックアップ及び光ディスクを回転駆動させるターンテーブルが搭載され、その一端側がメインシャーシに軸支されているドライブメカシャーシとを備え、
前記トレイは、引出し終端の位置で、前記メインシャーシに立設されている凸部と当接し、前記トレイを停止させる第１のストッパを有する光ディスク装置において、
ポリアセタール樹脂から成り、前記メインシャーシに片持支持され、その先端部に前記駆動ギアと噛合う第２のラックを有し、光ディスクのクランプ／アンクランプを行うために、該駆動ギアによって駆動されて前記トレイの引出し方向に直交する方向にスライド移動し、前記ドライブメカシャーシの他端側を昇降駆動するカムスライダをさらに備え、
前記トレイは、引出し終端の直前位置で、前記カムスライダの先端部と当接する第２のストッパを有し、
前記トレイが引出されるとき、前記メインシャーシの凸部と第１のストッパとが当接する前に、前記カムスライダの先端部と前記第２のストッパとが当接し、前記カムスライダの先端部が弾性変形することにより、トレイの移動速度を減少させて前記凸部と第１のストッパとの当接音を抑制することを特徴とする光ディスク装置。
【請求項２】
装置本体に対して引出し可能に設けられ、駆動力を受けるための第１のラックを有し、光ディスクを載置するトレイと、
前記第１のラックと噛合って前記トレイに駆動力を伝達する駆動ギアとを備え、
前記トレイは、引出し終端の位置でシャーシの一部と当接し、前記トレイを停止させる第１のストッパを有する光ディスク装置において、
前記トレイ及びシャーシより耐磨耗性に優れ、弾性率の低い材質から成り、シャーシに支持される弾性ばね部材をさらに備え、
前記トレイは、引出し終端の直前位置で、前記弾性ばね部材と当接する第２のストッパを有し、
前記トレイが引出されるとき、前記第１のストッパがシャーシの一部に当接する前に、前記第２のストッパが前記弾性ばね部材と当接し、該弾性ばね部材が弾性変形することにより、トレイの移動速度を減少させて第１のストッパとシャーシとの当接音を抑制することを特徴とする光ディスク装置。
【請求項３】
前記弾性ばね部材は、ポリアセタール樹脂から成ることを特徴とする請求項２に記載の光ディスク装置。
【発明の詳細な説明】
【技術分野】
【０００１】
本発明は、ＤＶＤ（Digital Versatile Disk)等の光ディスクにデータを書き込み／読み出しする光ディスク装置、特に、光ディスクが載置されるトレイの引出し機構を有する光ディスク装置に関するものである。
【背景技術】
【０００２】
従来から、光ディスク装置においては、トレイ及び光ディスク装置のシャーシのそれぞれに、トレイを引出し終端の位置で停止させるためのストッパを設けたものが知られている（例えば、特許文献１参照）。また、トレイの後端面に、装置のシャーシの内壁面に当接して弾性変形する樹脂弾性部を形成した光ディスク装置も知られている（例えば、特許文献２参照）。また、トレイを引出すための駆動力を用いて光ディスクのターンテーブルを昇降させるようにした光ディスク装置が知られている（例えば、特許文献３参照）。
【特許文献１】特開２００２−３３４５０２号公報
【特許文献２】登録実用新案第３０９４４９６号公報
【特許文献３】実開平２−７２４５７号公報
【発明の開示】
【発明が解決しようとする課題】
【０００３】
しかしながら、上記特許文献１に示された光ディスク装置にあっては、トレイの引出し終端の位置で、トレイ及びシャーシのそれぞれに設けられたストッパが当接し、耳障りな打撃音が発生するといった問題があった。そこで、このような装置では、トレイのストッパの近傍にシャーシ側のストッパと接触する傾斜面を設け、トレイの引出し動作の終了直前に負荷を掛けることにより、トレイの引出し速度を遅くして当接音の低減を図っている。ところが、トレイが頻繁に動かされると、上記傾斜面等の磨耗を防止するために塗布されている潤滑剤の粉末成分が装置内部に飛散して装置の動作に悪影響を及ぼす虞がある。また、紛体潤滑材が上記接触部から剥がれてしまうと、トレイの引込み動作が円滑に行われなくなる。
【０００４】
上記特許文献２及び特許文献３に示された光ディスク装置においても、このような課題を解決することができない。
【０００５】
本発明は、上記課題を解決するためになされたものであり、紛体潤滑剤を必要とすることなく、トレイの引出し終端の位置におけるトレイ及びシャーシのそれぞれに設けられたストッパの当接音を低減することができる光ディスク装置を提供することを目的とする。
【課題を解決するための手段】
【０００６】
上記目的を達成するために請求項１の発明は、装置本体に対して引出し可能に設けられ、駆動力を受けるための第１のラックを有し、光ディスクが載置されるトレイと、第１のラックと噛合ってトレイに駆動力を伝達する駆動ギアと、光ディスクにデータを書き込み／読み出しする光ピックアップ及び光ディスクを回転駆動させるためのターンテーブルが搭載され、その一端側がメインシャーシに軸支されているドライブメカシャーシとを備え、トレイは、引出し終端の位置で、メインシャーシに立設されている凸部と当接し、トレイを停止させる第１のストッパを有する光ディスク装置において、ポリアセタール樹脂から成り、メインシャーシに片持支持され、その先端部に駆動ギアと噛合う第２のラックを有し、光ディスクのクランプ／アンクランプを行なうために、該駆動ギアによって駆動されてトレイの引出し方向に直交する方向にスライド移動し、ドライブメカシャーシの他端側を昇降駆動するカムスライダをさらに備え、トレイは、引出し終端の直前位置で、カムスライダの先端部と当接する第２のストッパを有し、トレイがオープンされるとき、メインシャーシの凸部と第１のストッパとが当接する前に、カムスライダの先端部と第２のストッパとが当接し、カムスライダの先端部が弾性変形することにより、トレイの移動速度を減少させて凸部と第１のストッパとの当接音を抑制するものである。
【０００７】
請求項２の発明は、装置本体に対して引出し可能に設けられ、駆動力を受けるための第１のラックを有し、光ディスクを載置するトレイと、第１のラックと噛合ってトレイに駆動力を伝達する駆動ギアとを備え、トレイは、引出し終端の位置でシャーシの一部と当接し、トレイを停止させる第１のストッパを有する光ディスク装置において、トレイ及びシャーシより耐磨耗性に優れ弾性率の低い材質から成り、シャーシに支持される弾性ばね部材をさらに備え、トレイは、引出し終端の直前位置で、弾性ばね部材と当接する第２のストッパを有し、トレイが引出されるとき、第１のストッパがシャーシの一部に当接する前に、第２のストッパが弾性ばね部材と当接し、該弾性ばね部材が弾性変形することにより、トレイの移動速度を減少させて第１のストッパとシャーシとの当接音を抑制するものである。
【０００８】
請求項３の発明は、請求項２に記載の光ディスク装置において、弾性ばね部材は、ポリアセタール樹脂から成るものである。
【発明の効果】
【０００９】
請求項１の発明によれば、耐磨耗性に優れ、容易に弾性変形可能なポリアセタール樹脂から成るカムスライダの先端部と第２のストッパとが引出し終端の直前位置で当接し、該先端部が弾性変形することによりトレイの移動速度が減少されるので、第１のストッパと凸部との当接による耳障りな打撃音を小さくすることができ、装置の静粛性を高めることができる。また、第２のストッパとカムスライダの接触部分を紛体潤滑材によって潤滑する必要がないので、潤滑材の粉末成分が装置内部に飛散して装置の動作に悪影響を及ぼす虞もなく、また、長期に亘る使用によってもトレイの引出し動作の円滑性を維持することができる。さらに、ドライブメカシャーシの他端部を昇降駆動するために既に備えられているカムスライダに、第２のストッパと当接し弾性変形する部位（先端部）が設けられるので、部品点数の増加を招くこともなく、装置の製造コストが高騰することもない。
【００１０】
請求項２の発明によれば、トレイ及びシャーシより耐磨耗性に優れ弾性率の低い材質から成る弾性ばね部材と第２のストッパとが引出し終端の直前位置で当接し、該先端部が弾性変形することによりトレイの移動速度が減少されるので、第１のストッパとシャーシの一部との当接による耳障りな打撃音を小さくすることができ、装置の静粛性を高めることができる。第２のストッパと弾性ばね部材の接触部分を紛体潤滑材によって潤滑する必要がないので、潤滑材の粉末成分が装置内部に飛散して、装置の動作に悪影響を及ぼす虞もない。
【００１１】
請求項３の発明によれば、通常、トレイ等に用いられているポリスチレン樹脂等と比較して、耐磨耗性に優れ弾性率の低いポリアセタール樹脂を用いることにより、弾性ばね部材を容易に成形することができる。
【発明を実施するための最良の形態】
【００１２】
本発明を実施するための最良の実施形態による光ディスク装置について図面を参照して説明する。図１は光ディスク装置の構成を示している。光ディスク装置１は、光ディスクを装置内部に装填するためのトレイ２と、トレイ２を駆動する駆動ギア３（図２参照）と、光ディスクにデータを書き込み／読み出しする光ピックアップ４と、装填された光ディスクを支持し回転させるターンテーブル５と、光ピックアップ４及びターンテーブル５が搭載されるドライブメカシャーシ６と、ドライブメカシャーシ６を回動駆動するためのカムスライダ７と、ドライブメカシャーシ６及びカムスライダ７等の部品が搭載されるメインシャーシ８と、上記各部品を被うためのカバー９等によって構成されている。
【００１３】
図２は光ディスク装置１の要部の構成を透視して示し、図３は、トレイ２の構造を示している。トレイ２は、光ディスクが載置される凹部２１と、駆動ギア３の下段ギア３１と噛合う第１のラック２２と、カムスライダ７のボス７１と係合し、トレイ２が引出される際のガイドとなるガイド溝２３とを有し、矢印Ａ方向に往復自在に設けられている。凹部２１はトレイ２の表面側に形成されており、第１のラック２２及びガイド溝２３はトレイ２の裏面側に形成されている。トレイ２は、駆動ギア３及びカムスライダ７によって駆動されて矢印Ａ方向に往復移動する。
【００１４】
また、トレイ２は、引出し終端の位置でメインシャーシ８に立設されているストッパ（凸部）８３と当接し、トレイ２のスライドを停止させる一対の第１のストッパ２４と、引出し終端の直前位置で、カムスライダ７の先端部７３と当接する第２のストッパ２５を有している。第１のストッパ２４はトレイ２の後端近傍の両側面に設けられ、第２のストッパ２５は、トレイ２の裏面側であって、トレイ２が引出し終端の直前位置にあるときカムスライダ７の先端部７３と当接し得る位置に設けられている。なお、このトレイ２及びシャーシ８は、必要な強度を確保するために、比較的硬質な合成樹脂、例えば、ポリスチレン樹脂によって成形されている。
【００１５】
駆動ギア３は、トレイ２のラック２２と噛合う下段ギア３１及びカムスライダ７のラック７４と噛合う上段ギア３２を有する２段ギアであり、モータ(図示せず)等の駆動源から複数個のギア(図示せず)を介して伝達された駆動力を受けて回転し、トレイ２を矢印Ａ方向に、またカムスライダ７を矢印Ｃ方向に駆動する。
【００１６】
光ピックアップ４（図１参照）は、装填された光ディスクの記録面に対向するように配置されており、回転中の光ディスクの記録面にレーザ光を照射することにより、光ディスクにデータを書き込む。また、光ピックアップ４は、これより弱いパワーのレーザ光を記録面に照射してその反射光を受光することにより、光ディスクに書き込まれたデータを読み出す。
【００１７】
ターンテーブル５は、スピンドルモータ５１の出力軸に結合されており、スピンドルモータ５１によって回転駆動され、光ディスクを支持しながら回転させる。光ピックアップ４及びスピンドルモータ５１は、ドライブメカシャーシ６に搭載されている。
【００１８】
ドライブメカシャーシ６は、その一端側(光ピックアップ４が搭載されている側)に回動軸６１を、他端側にボス６２を有している。回動軸６１は、メインシャーシ８から立設された軸支持部８１によって矢印Ｅ方向に回動自在に支持されている。ボス６２は、カムスライダ７に設けられているカム溝７２に係合している。
【００１９】
図４は、図１における矢印Ｘ方向から見たドライブメカシャーシ６及びカムスライダ７の側面図を示している。カムスライダ７は、トレイ２及びメインシャーシ８等を形成するポリスチレン樹脂よりも耐磨耗性に優れ弾性率の低い合成樹脂、例えばポリアセタール樹脂によって、断面が略Ｌ字状（図１参照）になるように成形されている。カムスライダ７は、トレイ２に対向する上面７６（図１参照）にトレイ２のガイド溝２３と係合されるボス７１を有し、ドライブメカシャーシ６に対向する側面７７にドライブメカシャーシ６のボス６２と係合されるカム溝７２を有している。カムスライダ７は、メインシャーシ８のスライダ支持部８２（図１参照）によってスライド移動自在に片持支持されており、その先端部７３には駆動ギア３の上段ギア３２と噛合う第２のラック７４が設けられている。
【００２０】
メインシャーシ８は、ドライブメカシャーシ６を回動自在に支持するための軸支持部８１と、カムスライダ７をスライド移動自在に支持するためのスライダ支持部８２と、トレイ２の引出し終端の位置において、第１のストッパ２４と当接する一対の第３のストッパ８３を有している（図１、図２参照）。
【００２１】
トレイ２が引出される当初、カムスライダ７は駆動ギア３に駆動されて、図４に示されるように、矢印Ｃ１方向にスライド移動し、このカムスライダ７の移動に伴ってドライブメカシャーシ６のボス６２はカム溝７２の傾斜部７２ａによって駆動される。その結果、ドライブメカシャーシ６が矢印Ｅ１方向に下降し、ターンテーブル５も下降して光ディスクのアンクランプ動作が実現される。
【００２２】
次に、トレイ２の引出し動作について、図５を参照して説明する。トレイ２が引き込まれているとき、図５(ａ)に示すように、駆動ギア３と第１のラック２２との噛み合わせは解除されている。この状態から駆動ギア３が矢印Ｂ１方向に回動すると、カムスライダ７が駆動されて矢印Ｃ１方向に移動する。このカムスライダ７の移動に伴い、上述したように、光ディスクがアンクランプされると共に、ボス７１がガイド溝２３の斜面部２３ａを押圧し、トレイ２が矢印Ａ１方向に駆動される。これに伴い、駆動ギア３と第１のラック２２とが噛合って、トレイ２は、駆動ギア３によって矢印Ａ１方向に駆動される。
【００２３】
図５(ｂ)に示すように、トレイ２が終端直前まで移動すると、まず、カムスライダ７の先端部７３と第２のストッパ２５とが当接する。このとき、カムスライダ７は、トレイ２に対して弾性率の低い材質で成形されているので、同等の弾性率の材質で成形されているものに比べて当接音を小さくすることができる。
【００２４】
カムスライダ７の先端部７３と第２のストッパ２５とが当接した後、トレイ２がさらに矢印Ａ１方向に移動すると、図５(ｃ)に示すように、カムスライダ７の先端部７３が第２のストッパ２５によって押圧されることにより弾性変形し、ついには第１のストッパ２４と第３のストッパ８３とが当接する。このとき、カムスライダ７の先端部７３が弾性変形することによってトレイ２の移動速度が減少されるので、第１のストッパ２４と第３のストッパ８３との当接音を小さくすることができる。
【００２５】
以上のように、本実施形態の光ディスク装置１によれば、容易に弾性変形可能なポリアセタール樹脂から成るカムスライダ７の先端部７３と第２のストッパ２５とが引出し終端の直前位置で当接し、先端部７３が弾性変形することによりトレイ２の移動速度が減少されるので、第１のストッパ２４と第３のストッパ８３との当接による耳障りな打撃音を抑制することができ、装置の静粛性を高めることができる。また、カムスライダ７の材料であるポリアセタール樹脂は耐磨耗性に優れているので、第２のストッパ２５とカムスライダ７の接触部分を紛体潤滑材によって潤滑する必要がないので、潤滑材の粉末成分が装置内部に飛散して、装置の動作に悪影響を及ぼす虞もなく、また、長期に亘る使用によってもトレイ２の引出し動作の円滑性を維持することができる。さらに、ドライブメカシャーシ６を回動駆動するために既に備えられているカムスライダ７に、第２のストッパ２５と当接し弾性変形する部位（先端部７３）が設けられるので、部品点数の増加を招くこともなく、装置の製造コストが高騰することもない。
【００２６】
なお、本発明は上記実施形態の構成に限られることなく種々の変形が可能である。例えば、カムスライダ７の材質に関しては、ポリアセタール樹脂に限られることなく、トレイ２及びメインシャーシ８よりも弾性率の低い他の材質を用いてもよい。第１のストッパ２４と第３のストッパ８３とが当接する前に、第２のストッパ２５が当接する相手は、カムスライダ７の先端部７３に限られることなく、トレイ２等よりも弾性率の低い他の材質からなる他の弾性ばね部材であっても構わない。
【図面の簡単な説明】
【００２７】
【図１】本発明の一実施形態による光ディスク装置の構成を示す側断面図。
【図２】同装置の要部を示す平面図。
【図３】同装置のトレイの裏面形状を示す斜視図。
【図４】同装置のカムスライダ及びドライブメカシャーシを示す側面図。
【図５】（ａ）（ｂ）（ｃ）は、同装置のトレイ引出し動作を時系列に示す平面図。
【符号の説明】
【００２８】
１    光ディスク装置
２    トレイ
３    駆動ギア
４    光ピックアップ
５    ターンテーブル
６    ドライブメカシャーシ
７    カムスライダ
８    メインシャーシ
２２    第１のラック
２４    第１のストッパ
２５    第２のストッパ
７３    先端部
７４    第２のラック
８３    第３のストッパ（凸部）
【図１】
2005267780.tif 000003
【図２】
2005267780.tif 000004
【図３】
2005267780.tif 000005
【図４】
2005267780.tif 000006
【図５】
2005267780.tif 000007